(57)【要約】【課題】メガネに本来の機能である視力矯正機能に加えて、健康補助機能を具備したメガネフレームを提供することにある。【解決手段】フレーム（１）にマイナスイオン発生材Ａ又は磁力発生材を含有させるようにする。【選択図】  図３
2004184954.tif 000002
【特許請求の範囲】
【請求項１】
フレームがマイナスイオン発生材を含有してなることを特徴とするメガネフレーム。
【請求項２】
フレームが磁力発生材を含有してなることを特徴とするメガネフレーム。
【請求項３】
フレームがマイナスイオン発生材と磁力発生材を含有してなることを特徴とするメガネフレーム。
【請求項４】
フレームのパットがマイナスイオン発生材を含有してなる請求項１記載のメガネフレーム。
【請求項５】
フレームのモダンがマイナスイオン発生材を含有してなる請求項１記載のメガネフレーム。
【請求項６】
フレームのパットが磁力発生材を含有してなる請求項２記載のメガネフレーム
【請求項７】
フレームのモダンが磁力発生材を含有してなる請求項２記載のメガネフレーム。
【請求項８】
マイナスイオン発生材がトルマリン鉱石である請求項１，請求項３，請求項４又は請求項５記載のメガネフレーム。
【請求項９】
磁力発生材がフエライト鉱石である請求項２，請求項３，請求項６又は請求項７記載のメガネフレーム。
【発明の詳細な説明】
【０００１】
【発明の属する技術分野】
本発明は、フレームにマイナスイオンや磁力を発する素材を含有させることにより、メガネ使用者がマイナスイオンや磁力の作用により健康促進を図ることのできるようにしたメガネフレームに関する。
【０００２】
【従来の技術】
現代社会においては、オフイスコンピユター等の普及に伴い、目を酷使する傾向にあることから、視力が低下する人々が増え、この為、昨今はメガネが必需品化しつつある。また、目の酷使に伴う頭痛や肩こりを訴え人々も多い。
【０００３】
ところで、メガネを構成するフレームは、一般的に金属性やプラスチックス性で成形され、周知のとおり、左右一対のレンズを保持するリムと、このリム間を接続するブリッジと、左右のリムの内側に相対向して設けされた一対のパットと、左右のリムの外側に回動自在に設けされた一対のテンプル及びこれの先端のモダンとから構成されている。
【０００４】
メガネを懸ける時は、両耳に左右のモダンを係止しながら、左右のパッドを鼻に上部からフイットするよに装着することにより、左右のレンズが両目と対峙した状態となるため、レンズを通して被写体を見ることができ、視力の矯正や視力向上を図るようにしている。
【０００５】
そして、メガネを使用する者は，寝る時以外即ち目を使わない時以外は、通常メガネを掛けており、一日の約三分の一はメガネの世話になっている。このように、メガネは長時間に亘り顔と一体化し，視力矯正或いは補助をしている。
【０００６】
ところで、従来のこの種のメガネは、レンズ機能を利用した視力矯正又は視力向上を目的としたものが主であり、従来はこの視力矯正機能等を維持しつつ、メガネ自体の軽量化やコンパクト化を図ったものがある（例えば、特許文献１参照。）。また、メガネフレームの製造コストの低減化を図ったものもある（例えば、特許文献２参照。）。
【０００７】
【特許文献１】
国際公開番号ＷＯ９８／４５７４８号再公表特許
【特許文献２】
実開平６−７８９２６号公報
【０００８】
その他には、使用目的によって太陽光線の透過を低く抑えたサングラス即ち採光遮断機能を有するものやレンズ部分が単なるガラスやプラスチックスからなるフアッション的なもある。
【発明が解決しようとする課題】
【０００９】
このように、従来のメガネは、視力矯正又は補助機能を有するメガネが主で、その他には、前記特許文献１、２で示すような軽量化、コンパクト化等を企図したものや使用目的に応じて採光遮断機能やフアッション機能を具備するメガネがあるだけて、それ以外の機能を具備したメガネは未だ提案されていない。
【０００１０】
本発明者は、現代社会においてはメガネが必需品化しつつあること、メガネ使用者が、寝る時以外通常メガネを取り外さないこと等に着目し、メガネの従来の機能を損なうことなく、更なる機能を具備させるべく本発明をなしたものである。
【０００１１】
その目的とするところは、フレームをマイナスイオンや磁力を発生させるように構成することにより、マイナスイオンの照射による精神的やすらぎや磁力の血行促進作用等を利用して、目の疲れや頭痛を和らげることができるようにし、メガネを健康補助具としても使用することができるようにしたメガネフレームを提供することにる。
【課題を解決するための手段】
【０００１２】
上記課題を解決するために、本発明はメガネフレームを、マイナスイオン発生材又は磁力発生材或いはその両者を含有するように構成とした。このマイナスイオン発生材や磁力発生材を、フレーム全体に均等に含有させるように構成しても良く、以下のようにフレームの適宜個所にこれら発生材を設けるようにしても良い。
【０００１３】
マイナスイオン発生材を、フレームのパットやモダンに含有させるように、フレームのパットやモダンを形成しても良い。
【０００１４】
上記マイナスイオン発生材の具体的素材としては、自然石であるトルマリン鉱石が最適であり、これを微粉末化したり、適宜の大きさに加工して用いるようにする。
【０００１５】
上記トルマリン鉱石を微粉末化し、これをパットを成形する際、パット素材と混合攪拌し、爾後これを硬化させてマイナスイオンを発するパット部材を得、これをメガネフレームのパット部材として使用する。
【０００１６】
また、フレームのテンプルの先端部に一体化されるモダンを成形する際、モダンの素材であるプラスチックス溶液にトルマリン鉱石の微粉末を適宜混合攪拌した後、硬化させてモダンを得、これをテンプルの先端に装着或いは一体化すれば、テンプルの先端のモダンからマイナスイオンを発することができる。
【０００１７】
更には、トルマリン鉱石を適宜大きさに加工し、これをパットやモダン或いはテンプルに一体的に設けても良い。
【０００１８】
上記では、マイナスイオン発生材を、フレームに含有させてメガネフレームを得るようにしたが、このマイナスイオン発生材に代えて、フレームに磁力発生材を含有させるようにフレームを形成することもできるのである。
【０００１９】
磁力発生材の具体的素材としては、自然石であるフエライト鉱石が最適であり、これを微粉末化したり、適宜の大きさに加工して用いるようにする。
【０００２０】
上記フエライト鉱石を微粉末化し、これをパットを成形する際、パット素材と混合攪拌した後、これを硬化させて磁力を発するパット部材を得、これをメガネフレームのパット部材として使用する。
【０００２１】
フレームのテンプルの先端部に一体化されるモダンを成形する際、モダンの素材であるプラスチックス溶液にフエライト鉱石の微粉末を適宜混合攪拌した後、これを硬化させてモダンを得、これをテンプルの先端に装着或いは一体化すれば、モダンから磁力を発しめることができる。
【０００２２】
このように、メガネの適宜部分にフエライト鉱石又はこれの微粉末を一体化させることにより、メガネフレーム自体に磁力を発する機能をもたせることができる。
【０００２３】
上記では、トルマリン鉱石やフエライト鉱石の微粉末を個別に用いてパットやモダンを得るようにしたが、これら両鉱石の微粉末の混合物を用いて、モダンやモダンを成形することもできる。
【０００２４】
また、トルマリン鉱石やフエライト鉱石を適宜大きさに成形し、これをパットやモダン或いはテンプルに埋設一体化しても良く、或いは着脱自在に設けても良いこと勿論である。
【０００２５】
上記では、マイナスイオン発生材の具体的物質としてトルマリン鉱石を、磁力発生材の具体的物質としてフエライト鉱石を用いたが、これらの物質に限定するものではなく、要はマイナスイオンを発する物質や磁力を発する物質であればその他の物質でも良いこと勿論である。
【０００２６】
【発明の実施の形態】
以下に本発明の実施の形態を図面を参考にして詳細に説明する。
図１は、本発明に係るメガネフレームの全体斜視図である。図面に示すとおり，本発明に係るメガネフレームは、周知のメガネフレームと外観及び基本的構造はほぼ同じである。
【０００２７】
図面中、１はフレームを示す。メガネフレーム１は、左右のレンズを保持するリム２、２と、該リム２、２間を連結するブリッチ３と、リム２、２の内側端にパットアーム４、４に着脱自在に設けられた一対のパット５、５と、リム２、２の外側両端に丁番６、６によって回動自在に設けられた線状の一対のテンプル７、７とから構成される。
【０００２８】
フレーム１は、その構成部分の略全体がプラスチックスで成形されたものや、パット５やテンプル７を除いてその他の部分が金属性で成形されているが、本発明は何れの材質を用いたフレームでも採用されるものである。
【０００２９】
第２図は、一対のパット５、５の一方のパット５の断面図を示す。パット５は、通常のパットと同様の形状をなし、材質も通常用いられているプラスチック素材が用いられる。パットを成形する際、パットの素材となるプラスチックス溶液にマイナスイオン発生材であるトルマリン鉱石の微粉末Ａ・・・を適宜混合・攪拌した後，これを適宜手段で硬化させることにより、マイナスイオンを発するパット５を簡単に得ることができる。尚、図中５ａは、パットアーム４と着脱自在に嵌合する嵌合部材である。
【０００３０】
以上のとおり、マイナスイオンを発するパット５、５は、通常行われるパット成形過程において、パット素材であるフラスチックス溶液にトルマリン鉱石の微粉末Ａ・・・を混合・攪拌した後、硬化させることにより、簡単に得ることができる。
【０００３１】
第３図は、テンプル７、７の先端部分に一体的に装着されるモダン８、８の一方のモダン８の一部拡大断面図図を示めす。
モダン８は、モダンの素材となるプラスチックスに、上記のとおりトルマリン鉱石の微粉末Ａ・・・を適宜混合・攪拌した後、これを硬化させることにより簡単に得ることができる。モダン８にはテンプル７の先端に挿入すべく予め挿入穴８ａが形成されている為、この挿入穴８ａにテンプル７の先端分が挿入一体化される。
【０００３２】
以上のとおり形成したパット５とモダン８からマイナスイオンが発せられるので、これを採用したメガネフレーム１自体は、マイナスイオンを発することができるようになる。
【０００３３】
以上では、トルマリン鉱石の微粉末Ａをフレーム１に含有させる構成としたが、このトルマリン鉱石を適当な大きさに形成し、これをフレーム１の適宜個所例えばパット５やテンプル７に一体的に埋設或いは着脱自在に設けても良いこと勿論である。
【０００３４】
上記説明では、マイナスイオン発生材であるトルマリン鉱石をフレーム１のパット５やモダン８に含有或いは一体化してフレーム１を形成したが、フレームを構成するその他の部分例えばテンプル７やリム２又はブリッジ３等に含有或いは一体化ても良く、フレーム１全体がマイナスイオン発生材を均等に含有するようにフレームを形成しても良いこと勿論である。
【０００３５】
ところで、上記マイナスイオン発生材に代えて、磁力発生材を含有するようにメガネフレームを構成するこもできるので、以下これについて説明する。尚、以下の説明では、マイナスイオン発生材であるトルマリン鉱石の微粉末Ａ・・・が磁力発生材であるフエライト鉱石の微粉末Ｂ・・・に置き代わるだけて、その他の構成は同一であるので、同一図面及び同一番号を用いて簡単に説明することとする。
【０００３６】
第２図は、パット５の断面図であるが、パット５を成形する際、パットの素材となるプラスチックス溶液にフエライト鉱石の微粉末Ｂ・・・を適宜混合・攪拌した後、これを適宜手段で硬化させることにより、磁力を発するパット５を簡単に得ることができる。
【０００３７】
第３図は、モダン８の一部拡大断面図図であるが、モダン８は、モダンの素材であるプラスチックス溶液に上記のとおりフエライト鉱石の微粉末Ｂ・・・を適宜混合・攪拌した後、これを硬化させて簡単に得ることができる。
【０００３８】
以上のとおり、パット５とテンプル７の先端部分のモダン８にフエライト鉱石の微粉末Ｂ・・・を含有させる構造とすることにより、本発明に係るメガネフレーム１自体が磁力を発すようになる。
【０００３９】
以上では、フエライト鉱石の微粉末Ｂをフレーム１に含有させる構成としたが、これに代えてフエライト鉱石を適当な大きさに形成し、これをフレーム１の適宜個所例えばパット５やテンプル７に一体的に埋設或いは着脱自在に設けても良いこと勿論である。
【０００４０】
上記説明では、磁力発生材であるフエライト鉱石をフレーム１のパット５やモダン８に含有或いは一体化してフレーム１を形成したが、フレームを構成するその他の部分例えばテンプル７やリム２又はブリッジ３等に含有或いは一体化ても良く、フレーム１の略全体にフエライト鉱石の微粉末を均等に含有させるようにフレームを形成しても良いこと勿論である。
【０００４１】
ところで、上記説明ではトルマリン鉱石とフエライト鉱石を別々に用いたが、微粉末化したトルマリン鉱石Ａとフエライト鉱石Ｂを適宜混合し、これを上記のとおりフレームに含有させるように、フレーム１を構成しても良い。
【０００４２】
【発明の効果】
請求項１は、フレームがマイナスイオン発生材を含有しているため、マイナスイオンの作用により，メガネ使用者が精神的な安らぎを得ることができ、延いては目の疲れや頭痛を和らげることができる。
【０００４３】
請求項２は、フレームが磁力発生材を含有しているため、これの使用者は磁力の血行促進作用等によって、目の疲れや頭痛を和らげることができる。
【０００４４】
請求項３は、フレームがマイナスイオン発生材と磁力発生材を含有しているため、これらマイナスイオンと磁力の相乗効果によって精神的やすらぎと血行が促進を一層向上させることができ、目の疲れや頭痛を一段と和らげることができる。
【０００４５】
請求項４は、フレームのパットがマイナスイオン発生材を含有しているため、パットを目頭と直接的に対峙させることができるので、パットから発するマイナスイオンが目頭やその近傍に集中的に作用し、目頭への効率的なマイナスイオンの照射により、目の疲れを一段と和らげることができ、これに起因する頭痛等の解消を一層向上させることができる。
【０００４６】
請求項５は，フレームのモダンにマイナスイオン発生材を一体化したため、頭の両こめかみ部分と対峙するモダンからのマイナスイオンが、両こめかみ部分を効率的に照射するので、この効率的なマイナスイオンの両こめかみへの照射により、頭痛を和らげる効果が一層向上する。
【０００４７】
請求項６は、フレームのパットが磁力発生材を含有しているため、パットを目頭と直接的に対峙させることができ、為にパットから発する磁力が目頭近傍に直接的に作用し、目の疲れやこれに起因する頭痛等を能率的に解消させることができる。
【０００４８】
請求項７は、フレームのモダンが磁力発生材を含有しているため、頭の両こめかみ部分と対峙するモダンから発する磁力の血行促進作用等により頭痛を和らげることができる。
【０００４９】
請求項８のメガネフレームは、マイナスイオン発生材として、自然界に存するトルマリン鉱石を採用しているため、人体に何ら害を及ぼすことはなく、しかも製作簡単に所期の目的を達成することができる。
【０００５０】
請求項９は、磁力発生材として自然界に存するフエライト鉱石を用いたため、人体への悪影響もなく、製作簡単に所期の目的を達することができる。
【０００５１】
以上説明で明らかなとおり、本発明に係るメガネフレームは、メガネ本来の機能である視力矯正・補助機能を何ら損なうことなく、精神的やすらぎや目の疲れ或いはや頭痛を和らげることができので、メガネのフレームとして真に有効である。
【図面の簡単な説明】
【図１】本発明に係るメガネフレームの全体斜視図である。
【図２】パットの拡大断面図である。
【図３】テンプルの部分拡大断面図である。
【符号の説明】
１  メガネフレーム
５  パット
７  テンプル
８  モダン
Ａ  マイナスイオン発生材であるトルマリン鉱石の微粉末
Ｂ  磁力発生材であるフエライト鉱石の微粉末
【図１】
2004184954.tif 000003
【図２】
2004184954.tif 000004
【図３】
2004184954.tif 000005